(57)【要約】【課題】  周囲に対してマナーモードが有効なことをより明確に報知することの可能な携帯電話機を提供する。【解決手段】  筐体に表示部１０８が配設され、マナーモード機能を具備する携帯電話機１００において、筐体の表示部１０８が配設された面に対する側面部にマナーモード機能が有効であることを表示するマナーモード専用表示手段１１６が設けられていることを特徴とし、このとき、マナーモード専用表示手段は、側面部のうち筐体の頂部に設けられていることとしてもよく、また、頂部以外にも、例えば筐体の左右両側面部に複数設けられていることとしてもよい。【選択図】      図１
2005223475.tif 000002
【特許請求の範囲】
【請求項１】
筐体に表示部が配設され、マナーモード機能を具備する携帯電話機において、
前記筐体の前記表示部が配設された面に対する側面部に前記マナーモード機能が有効であることを表示するマナーモード専用表示手段が設けられていることを特徴とする、携帯電話機。
【請求項２】
前記マナーモード専用表示手段は、前記側面部のうち前記筐体の頂部に設けられていることを特徴とする、請求項１に記載の携帯電話機。
【請求項３】
前記マナーモード専用表示手段は、前記側面部に複数設けられていることを特徴とする、請求項２に記載の携帯電話機。
【請求項４】
前記マナーモード専用表示手段は、ＬＥＤであり、該ＬＥＤの発光パターンを変更可能なことを特徴とする、請求項１〜３のいずれか１項に記載の携帯電話機。
【請求項５】
前記マナーモード機能が有効である間に、前記ＬＥＤは、一定時間間隔で点滅することを特徴とする、請求項４に記載の携帯電話機。
【発明の詳細な説明】
【技術分野】
【０００１】
本発明は、携帯電話機の構成に関し、特にマナーモード表示機能付き携帯電話機の構成に関する。
【背景技術】
【０００２】
電車内等の人混みで混雑する公共の場で携帯電話機の着信があると、携帯電話機が着信音を発して周囲に迷惑をかけるため、近年の携帯電話機は、着信音の代わりに例えば内蔵バイブレータを駆動して携帯電話機の使用者に着信を知らせるマナーモードの機能を搭載するのが普通になっている。
【０００３】
しかし、マナーモード機能を搭載する携帯電話機を使用する人が、電車内等の公共の場所において、マナーモードの設定が有効になっているにも関わらず、電子メールの送受信等の公共の場でのマナーに違反しない使用方法に対しても、周りの人に対して気使いがあり、そのような場合にマナーモードが有効であることを周囲に報知する効果的な手段が無いという問題があった。また、携帯電話機の使用者本人もマナーモードが設定状態を容易に確認できることが好ましかった。
【０００４】
携帯電話機のマナーモードが有効状態、または解除に移行されたことを使用者本人に報知できる手段は、従来から多数存在し、内蔵バイブレータの振動、主表示部のＬＣＤ、副表示部のＬＣＤの表示、発信音を出力すること等で実現可能である。しかし、これらの手段は、発信音により周囲に不快感を与えたり、マナーモードが有効状態の間、周囲に対して継続的に報知できる効果を持つには、至らない。
【０００５】
このため、多色点灯が可能なＬＥＤを端末筺体の端部に設け、マナーモードの動作中にこのＬＥＤの点灯色を周期的に変化させることとにより、マナーモードが有効であることを周囲に示す携帯無線端末が開示されている（例えば、特許文献１を参照）。
【０００６】
【特許文献１】特開２００２−１９０８５３号
【発明の開示】
【発明が解決しようとする課題】
【０００７】
しかしながら、特許文献１で開示された携帯電話機は、端末筺体の端部に設けたＬＥＤを、充電中であると判断されたときに赤色で点灯させ、動作異常が発生していると判断されときに赤色で点滅させ、着信中であると判断されたときに緑色で点滅させ、パネルセーブ機能が動作中であると判断されたときに橙色で点滅させ、マナーモード機能が動作中であると判断されたときに赤色、緑色、橙色の順で順次点滅させるものである。すなわち、端末筐体の端部に設けられた一つのＬＥＤで前述の各動作を全て実行するので、この一つのＬＥＤの点灯、点滅がマナーモード機能動作中であるかを周囲に報知する、換言すると、マナーモード動作の有効性を周囲に十分に、かつ効果的に報知するには、至らなかった。
【０００８】
そこで、本発明は、従来の携帯電話機が有する上記問題点に鑑みてなされたものであり、本発明の目的は、周囲に対してマナーモードが有効なことをより明確に報知することの可能な，新規かつ改良された携帯電話機を提供することである。
【課題を解決するための手段】
【０００９】
上記課題を解決するために、本発明のある観点によれば、筐体に表示部が配設され、マナーモード機能を具備する携帯電話機において、筐体の表示部が配設された面に対する側面部にマナーモード機能が有効であることを表示するマナーモード専用表示手段が設けられていることを特徴とする、携帯電話機が提供される。
【００１０】
このとき、マナーモード専用表示手段は、側面部のうち筐体の頂部に設けられていることとしてもよく、また、頂部以外にも、例えば筐体の左右両側面部に複数設けられていることとしてもよい。
【００１１】
また、マナーモード専用表示手段は、ＬＥＤであり、このＬＥＤの発光パターンを変更可能なこととしてもよい。
【００１２】
このような構成とすることにより、携帯電話機が使用状態(折りたたみ型の場合は筐体を開いた状態)において、周囲から見えやすい位置にマナーモード表示用のＬＥＤが配設されるので、マナーモードの使用が求められている場において、マナーモード機能が有効であることを表示するマナーモード専用表示手段となるＬＥＤの点灯によってマナーモード機能が有効な状態で携帯端末を使用中であることを周囲により明確に報知できる。
【００１３】
また、マナーモード機能が有効な状態で携帯端末を使用中のことを周囲に報知することより、マナーモード時に周囲へ気使いをせずに携帯電話機を使用したいという要求に応えることができる。その上、見えやすい位置に装備したＬＥＤを利用するので、特徴的な点灯パターン、輝度、色で出力表示させることにより、音声等の手段を使用することなく周囲にマナーモード機能が有効であることを報知できる。
【００１４】
さらに、マナーモード機能が有効である間に、ＬＥＤは、一定時間間隔で点滅することとしてもよい。
【００１５】
このような構成とすることにより、マナーモード機能が有効であることを表示するマナーモード専用表示手段となるＬＥＤの点滅動作時間をマナーモード機能が有効な間、常時点灯とせず、特定の時間間隔で点滅動作させるため、常時連続点灯による方法と比較し、省電力にて本機能を実現できる。
【発明の効果】
【００１６】
以上説明したように本発明によれば、周囲から見えやすい位置にマナーモード機能が有効であることを表示するマナーモード専用表示手段としてＬＥＤを装備し、特徴のあるＬＥＤの発光パターンに設定することにより、使用者以外の周囲に対してマナーモード機能が有効であることを十分に報知できる。このため、マナーモード機能有効時に周囲に対して気使いをする必要が無く、周囲に迷惑の掛からない電子メール等の機能を安心して使用することが可能となる。
【００１７】
また、マナーモードＬＥＤの点滅動作時間をマナーモード有効時中、常時点灯とせず、特定の時間間隔で点滅動作させるため、常時連続点灯による方法と比較し、省電力にて本機能を実現できる。
【発明を実施するための最良の形態】
【００１８】
以下に添付図面を参照しながら，本発明の好適な実施の形態について詳細に説明する。なお，本明細書及び図面において，実質的に同一の機能構成を有する構成要素については，同一の符号を付することにより重複説明を省略する。
【００１９】
（第１実施形態）
まず、本発明の携帯電話機における第１実施形態の構成について図面を使用しながら説明する。
【００２０】
本発明の第１実施形態における携帯電話機の構成について図面を使用しながら説明する。図１は、本発明の第１実施形態における携帯電話機の構成図であり、（ａ）は、本実施形態の携帯電話機の筐体を開いたときの表示部側の正面図であり、（ｂ）は、本実施形態の携帯電話機を開いたときの表示部側筐体の上面図であり、（ｃ）は、本実施形態の携帯電話機の筐体を開いたときの背面図である。
【００２１】
図１（ａ）に示すように、本実施の形態の携帯電話機１００は、表示部側筐体１０２と入力部側筐体１０４がヒンジ部１０６で回動可能に結合され、このヒンジ部１０６を中心に折り畳み開閉が可能な構成となっている。
【００２２】
表示部側筐体１０２は、携帯電話機１００の状態や機能を液晶等で表示する主表示部１０８、通信相手の音声を出力する受話部１１０、携帯電話機１００への着信が有った場合に携帯者へ報知を行う着信用ＬＥＤ１１２、無線通信時の電波の送受信を行うアンテナ部１１４、マナーモード機能が有効であることを表示するマナーモード専用表示手段としてマナーモード用ＬＥＤ１１６を具備する。このマナーモード用ＬＥＤ１１６は、本実施形態では、図１（ｂ）に示すように、表示部側筐体１０２の主表示部１０８が配設された面に対する側面部のうち、表示部側筐体１０２の頂部に設けられている。
【００２３】
このように、携帯電話機１００が使用状態(折り畳み型の場合は、筐体を開いた状態)において、周囲から見えやすい位置にマナーモード用ＬＥＤ１１６を装備する構成となっているので、マナーモードの使用が求められる場において、マナーモード機能有効の状態で携帯端末１００を使用中であることを周囲に報知できる効果がある。
【００２４】
また、図１（ｃ）に示すように、本実施の形態の携帯電話機１００に備わる表示部側筐体１０２には、上記の主表示部１０８が配設された面の裏側に、時刻等の情報を液晶等で簡易に表示する副表示部１０９が配設されている。
【００２５】
一方、入力部側筐体１０４は、携帯者からの携帯電話機１００への様々なキー入力操作を行う入力部１１８、音声を入力する送話部１２０を具備する。本実施形態では、キー入力操作を行う入力部１１８の入力キーのうち、最右下に配置された入力キーがマナーモード機能を有効にするためのマナーモード入力キー１２２となる。なお、図１（ａ）に示すように、本実施形態では、入力部１１８は、ボタン型のスイッチで構成されているが、タッチパネル式の液晶入力装置等で構成してもよい。
【００２６】
次に、本実施形態の携帯電話機１００の内部構成について、図面を使用しながら説明する。図２は、本実施形態の携帯電話機１００の内部構成のうち、本実施形態の作用説明に直接関係のある構成要素の接続について説明するためのブロック図である。
【００２７】
図２に示すように、入力部側筐体１０４に配設された入力部１１８のうち、マナーモード機能の有効／無効を制御するためのマナーモード入力キー１２２が入力キーの一つに割り当てられている。マナーモード入力キー１２２を含む入力部１１８と、ヒンジ部１０６の開閉状態を検出するヒンジ部開閉検出回路１２４は、携帯電話機１００の装置全体に備わる主要な構成要素の信号処理を行う制御部１２６に接続される。本実施形態では、制御部１２６は、入力部側筐体１０４に設けられているが、入力部側筐体１０４に配設される各構成要素と接続されるのであれば、表示部側筐体１０２に設ける構成とすることも可能である。
【００２８】
そして、上記の制御部１２６は、表示駆動部１２８を介して出力する表示機能部１３０と接続されている。この表示機能部１３０は、上述した主表示部１０８、副表示部１０９、着信用ＬＥＤ１１２、マナーモード用ＬＥＤ１１６で構成されている。すなわち、入力部側筐体１０４に配設されたマナーモード入力キー１２２は、制御部１２６、表示駆動部１２８を介してマナーモード用ＬＥＤ１１６に接続される。
【００２９】
また、マナーモード表示機能の有効／無効の設定については、選択メニューの設定、または、入力キーの一つに割り当てる等の手段によりユーザーが任意に選択できる構成となっている。
【００３０】
次に、本実施形態における携帯電話機１００のマナーモード機能の設定に関する動作について図面を使用しながら説明する。図３は、本実施形態における携帯電話機１００のマナーモード機能の設定の動作をタイミングチャートで示す図である。
【００３１】
まず、図３に示すように、初期状態は、マナーモード機能が有効の状態であり(マナーモード機能：Ｈｉｇｈ)、携帯端末１００が折り畳まれてヒンジ部１０６が閉じた待ち受け状態であり（ヒンジ部の開閉状態：Ｌｏｗ）、マナーモード用ＬＥＤ１１６が消灯の状態である（マナーモード用ＬＥＤ１１６：Ｌｏｗ）。また、マナーモード表示機能の設定については、ユーザーにより有効／無効を選択でき、本実施形態では、常時有効として以降の説明を行う。
【００３２】
次に、折り畳まれた携帯電話機１００を使用者が時刻ｔ１に開いた状態(使用開始)に変化させたとき、ヒンジ部１０６の開閉状態検出回路１２４において携帯電話機１００が開いた状態(ヒンジ部１０６の開閉状態：Ｈｉｇｈ)を検出し、制御部１２６において携帯電話機１００を通常の待ち受け状態から使用動作状態へ移行させる。同時に、マナーモード表示機能が動作し、制御部１２６から表示駆動部１２８に信号を送り、マナーモード用ＬＥＤ１１６の点灯動作が開始させる。
【００３３】
本実施形態では、図３に示すように、マナーモード用ＬＥＤ１１６の点滅周期は、１秒間であり、３回連続の点滅動作が３秒間継続し、その後６秒間消灯状態となる。ここまでの９秒間の動作を１サイクルとして、携帯端末が開いた状態の間（使用中）、マナーモード用ＬＥＤ１１６は、前述した点灯動作のサイクルを繰り返す。なお、この点灯動作のサイクルの各継続時間は、変更可能なものとする。
【００３４】
最後に、図３のタイミングチャートにおいて時刻ｔ２に携帯電話機を折り畳んだ状態（ヒンジ部１０６の開閉状態：Ｌｏｗ）へと変化させたとき、ヒンジ部１０６の開閉状態検出回路１２４にて、携帯電話機１００が折り畳まれた状態（ヒンジ部１０６の開閉状態：Ｌｏｗ）を検出し、制御部１２６にて信号を認識し、携帯電話機１００を待ち受け状態にするとともに、表示駆動部１２８へ信号を送り、マナーモードＬＥＤ１１６を消灯状態（マナーモードＬＥＤ１１６：Ｌｏｗ）へと移行させる。その後、マナーモードＬＥＤ１１６の消灯状態は、端末が閉じた状態の間、消灯動作を継続する。
【００３５】
なお、主表示部１０８、副表示部１０９の動作、及びそのバックライトの点灯動作については、本発明と直接関係しないため、その詳細動作についての説明は、省略する。
【００３６】
前述したように、本実施形態では、マナーモード用ＬＥＤ１１６の点滅動作時間をマナーモード有効時中、常時点灯とせずに、特定の時間間隔で点滅動作させるため、常時連続点灯による方法と比較し、省電力にてマナーモード機能が有効であることを周りに報知することができる。
【００３７】
また、マナーモードＬＥＤ１１６の発光色については、赤色のような一般的に強い警告の意味合いを持たせる色とせず、周囲からマナーモード機能が有効状態で使用中であることを察しやすいように特徴付ける色として、本実施形態では、例えば緑色の設定をするものとする。
【００３８】
さらに、本実施形態では、マナーモード機能有効時に周囲に対して報知効果を持たせるため、マナーモード用ＬＥＤ１１６の発光パターンを着信用ＬＥＤ１１２の点灯パターンとは異なる設定とすることが好ましい。
【００３９】
なお、本実施の形態における携帯電話機１００の表示部側筐体１０２に設けられるマナーモード用ＬＥＤ１１６は、一つでなくてもよい。すなわち、周囲から見えやすい位置にマナーモード用ＬＥＤ１１６を装備する構成となっていれば、表示部側筐体１０２の主表示部１０８が配設された面に対する側面部のうち、頂部以外にも、例えば表示部側筐体１０２の左右両側面部に複数設けられていることとしてもよい。
【００４０】
図４は、本発明の第１実施形態における携帯電話機の変形例の構成図であり、（ａ）は、本実施形態の変形例の携帯電話機を開いたときの左側側面図であり、（ｂ）は、本実施形態の変形例の携帯電話機を開いたときの右側側面図である。
【００４１】
本実施形態の変形例の携帯電話機１００’では、第１実施形態の携帯電話機１００の表示部側筐体１０２の左右側面に、さらにマナーモード用ＬＥＤ１１７ｌ、１１７ｒが追加して設けられた構成となっている。このような構成とすることにより、さらに周囲からマナーモード用ＬＥＤ１１６、１１７ｌ、１１７ｒが見えやすい位置に配置されるので、マナーモードの使用が求められる場において、マナーモード機能有効の状態で携帯端末１００’を使用中であることを周囲に、より確実に報知できる効果がある。
【００４２】
なお、本実施形態の変形例の携帯電話機１００’は、第１実施形態の携帯電話機１００の表示部側筐体１０２の左右側面にマナーモード用ＬＥＤ１１７ｌ、１１７ｒが追加して設けられた構成となっているだけで、その内部構成は、第１実施形態の携帯電話機１００と略同一であり、作用説明に直接関係のある構成要素の接続について説明するためのブロック図は、図２と略同一であるので、その説明は、省略するものとする。
【００４３】
次に、本実施形態の変形例における携帯電話機１００’のマナーモード機能の設定に関する動作について図面を使用しながら説明する。図５は、本実施形態の変形例における携帯電話機１００’のマナーモード機能の設定の動作をタイミングチャートで示す図である。
【００４４】
まず、図５に示すように、初期状態は、マナーモード機能が有効の状態であり(マナーモード機能：Ｈｉｇｈ)、携帯端末１００が折り畳まれてヒンジ部１０６が閉じた待ち受け状態であり（ヒンジ部の開閉状態：Ｌｏｗ）、３箇所のマナーモード用ＬＥＤ１１６、１１７ｌ、１１７ｒが消灯の状態である（第１マナーモード用ＬＥＤ１１６：Ｌｏｗ、第２マナーモード用ＬＥＤ１１７ｌ：Ｌｏｗ、第３マナーモード用ＬＥＤ１１７ｒ：Ｌｏｗ）。また、マナーモード表示機能の設定については、ユーザーにより有効／無効を選択でき、本実施形態では、常時有効として以降の説明を行う。
【００４５】
次に、折り畳まれた携帯電話機１００’を使用者が時刻ｔ１に開いた状態(使用開始)に変化させたとき、ヒンジ部１０６の開閉状態検出回路１２４において携帯電話機１００’が開いた状態(ヒンジ部１０６の開閉状態：Ｈｉｇｈ)を検出し、制御部１２６において携帯電話機１００を通常の待ち受け状態から使用動作状態へ移行させる。同時に、マナーモード表示機能が動作し、制御部１２８から表示駆動部１２８に信号を送り、マナーモード用ＬＥＤ１１６、１１７ｌ、１１７ｒの点灯動作が開始させる。
【００４６】
本実施形態では、図５に示すように、第１マナーモード用ＬＥＤ１１６、第２マナーモード用ＬＥＤ１１７ｌ、第３マナーモード用ＬＥＤ１１７ｒの点滅周期は、１秒間であり、３回連続の点滅動作が３秒間継続し、その後６秒間消灯状態となる。ここまでの９秒間の動作を１サイクルとして、携帯端末が開いた状態の間（使用中）、各マナーモード用ＬＥＤ１１６、１１７ｌ、１１７ｒは、前述した点灯動作のサイクルを繰り返す。なお、この点灯動作のサイクルの各継続時間は、変更可能なものとする。
【００４７】
最後に、図５のタイミングチャートにおいて時刻ｔ２に携帯電話機を折り畳んだ状態（ヒンジ部１０６の開閉状態：Ｌｏｗ）へと変化させたとき、ヒンジ部１０６の開閉状態検出回路１２４にて、携帯電話機１００が折り畳まれた状態（ヒンジ部１０６の開閉状態：Ｌｏｗ）を検出し、制御部１２６にて信号を認識し、携帯電話機１００を待ち受け状態にするとともに、表示駆動部１２８へ信号を送り、各マナーモード用ＬＥＤ１１６、１１７ｌ、１１７ｒを消灯状態（第１マナーモード用ＬＥＤ１１６、第２マナーモード用ＬＥＤ１１７ｌ、第３マナーモード用ＬＥＤ１１７ｒ：Ｌｏｗ）へと移行させる。その後、各マナーモード用ＬＥＤ１１６、１１７ｌ、１１７ｒの消灯状態は、端末１００’が閉じた状態の間、消灯動作を継続する。
【００４８】
前述したように、本実施形態の変形例でも、各マナーモード用ＬＥＤ１１６、１１７ｌ、１１７ｒの点滅動作時間をマナーモード有効時中、常時点灯とせずに、特定の時間間隔で点滅動作させるため、常時連続点灯による方法と比較し、省電力にてマナーモード機能が有効であることを周りに報知することができる。
【００４９】
以上，添付図面を参照しながら本発明の好適な実施形態について説明したが，本発明は係る例に限定されないことは言うまでもない。当業者であれば，特許請求の範囲に記載された範疇内において，各種の変更例または修正例に想到し得ることは明らかであり，それらについても当然に本発明の技術的範囲に属するものと了解される。
【００５０】
例えば、上記の各実施形態では、折り畳み式の携帯電話機に適用されているが、ストーレート型携帯電話機やＰＨＳ等の携帯型情報端末装置にも適用可能である。
【産業上の利用可能性】
【００５１】
本発明は、携帯電話機に適用可能であり、特に、ＬＥＤ等で構成されるマナーモード表示機能が設けられる携帯電話機に適用可能である。
【図面の簡単な説明】
【００５２】
【図１】本発明の第１実施形態における携帯電話機の構成図であり、（ａ）は、同実施形態の携帯電話機の筐体を開いたときの表示部側の正面図であり、（ｂ）は、同実施形態の携帯電話機を開いたときの表示部側筐体の上面図であり、（ｃ）は、同実施形態の携帯電話機の筐体を開いたときの背面図である。
【図２】同実施形態の携帯電話機の内部構成のうち、同実施形態の作用説明に直接関係のある構成要素の接続について説明するためのブロック図である。
【図３】同実施形態における携帯電話機のマナーモード機能の設定の動作をタイミングチャートで示す図である。
【図４】本発明の第１実施形態における携帯電話機の変形例の構成図であり、（ａ）は、同実施形態の変形例の携帯電話機を開いたときの左側側面図であり、（ｂ）は、同実施形態の変形例の携帯電話機を開いたときの右側側面図である。
【図５】同実施形態の変形例における携帯電話機のマナーモード機能の設定の動作をタイミングチャートで示す図である。
【符号の説明】
【００５３】
１００、１００’    携帯電話機
１０２    表示部側筐体
１０４    入力部側筐体
１０６    ヒンジ部
１０８    主表示部
１０９    副表示部
１１０    受話部
１１２    報知部
１１４    アンテナ部
１１６、１１７ｌ、１１７ｒ    マナーモード用ＬＥＤ
１１８    入力部
１２０    送話部
１２２    マナーモード入力キー
１２４    ヒンジ部開閉検出回路
１２６    制御部
１２８    表示駆動部
１３０    表示機能部
【図１】
2005223475.tif 000003
【図２】
2005223475.tif 000004
【図３】
2005223475.tif 000005
【図４】
2005223475.tif 000006
【図５】
2005223475.tif 000007